(57)【要約】【課題】雌雄嵌合式でありながら、嵌合した継ぎ手部が引っ張りや曲げなどに対してしっかりとした一体性を保持することができる構造の上下杭などのジョイント用継ぎ手を提供する。【解決手段】雌雄の継ぎ手１，２は、テーパー嵌合されるように周面部が傾斜し、これら継ぎ手１，２をテーパー嵌合させた状態から更に深く嵌合させるための対の寄せ込み孔７ａ，７ｂが側方に開口するように備えられ、ピン３は、寄せ込み孔７ａ，７ｂを利用して両継ぎ手１，２を寄せ込んだ状態でピン差込み孔６に差込み可能である。ピン３と差込み孔６は、テーパー嵌合状態に差し込まれるように周面部が傾斜し、差し込むことでこれら継ぎ手１，２が更に深く嵌合されるようになされている。【選択図】      図１
2005282187.tif 000002
【特許請求の範囲】
【請求項１】
上杭の下端部と下杭の上端部に取り付けられる雌雄の嵌合式継ぎ手が備えられ、
雄継ぎ手は外周異形部を備え、雌継ぎ手は内周異形部を備え、これら異形部同士を嵌合することで両継ぎ手が共回りするようになされており、
該異形部同士の嵌合状態において雌雄両継ぎ手をジョイントするピンが、両継ぎ手の肉部にわたすように側方から差し込まれる上下杭のジョイント用継ぎ手であって、
前記雌雄の継ぎ手は、テーパー嵌合されるように周面部が傾斜しており、
雌雄の両継ぎ手には、これら継ぎ手をテーパー嵌合させた状態から更に深く嵌合させるための対の寄せ込み孔が側方に開口するように嵌合方向に一組又は複数組備えられ、
前記ピンは、寄せ込み孔を利用して両継ぎ手を寄せ込んだ状態でピン差込み孔に差込み可能であることを特徴とする上下杭のジョイント用継ぎ手。
【請求項２】
前記ピンとピンを差し込む孔は、テーパー嵌合状態に差し込まれるように周面部が傾斜しており、ピンを差込み孔に差し込むことでこれら継ぎ手が更に深く嵌合されるようになされている請求項１に記載の上下杭のジョイント用継ぎ手。
【請求項３】
ピンを差し込んで雌雄の継ぎ手をジョイントした状態で、雌雄の継ぎ手の対の寄せ込み孔が互いに少なくとも一部連通している請求項２に記載の上下杭のジョイント用継ぎ手。
【請求項４】
上杭の下端部と下杭の上端部に取り付けられる雌雄の嵌合式継ぎ手が備えられ、
雄継ぎ手は外周異形部を備え、雌継ぎ手は内周異形部を備え、これら異形部同士を嵌合することで両継ぎ手が共回りするようになされており、
該異形部同士の嵌合状態において雌雄両継ぎ手をジョイントするピンが、両継ぎ手の肉部にわたすように側方から差し込まれる上下杭のジョイント用継ぎ手であって、
前記雌雄の継ぎ手は、テーパー嵌合されるように周面部が傾斜しており、
前記ピンとピンを差し込む孔は、テーパー嵌合状態に差し込まれるように周面部が傾斜しており、ピンを差込み孔に差し込むことでこれら継ぎ手が深く嵌合されるようになされていることを特徴とする上下杭のジョイント用継ぎ手。
【請求項５】
一方の部材ともう一方の部材に取り付けられる雌雄の嵌合式継ぎ手が備えられ、
雌雄継ぎ手の嵌合状態において雌雄両継ぎ手をジョイントするピンが、両継ぎ手の肉部にわたすように側方から差し込まれる部材同士のジョイント用継ぎ手であって、
前記雌雄の継ぎ手は、テーパー嵌合されるように周面部が傾斜しており、
雌雄の両継ぎ手には、これら継ぎ手をテーパー嵌合させた状態から更に深く嵌合させるための対の寄せ込み孔が側方に開口するように嵌合方向に一組又は複数組備えられ、
前記ピンは、寄せ込み孔を利用して両継ぎ手を寄せ込んだ状態でピン差込み孔に差込み可能であることを特徴とする部材同士のジョイント用継ぎ手。
【請求項６】
一方の部材ともう一方の部材に取り付けられる雌雄の嵌合式継ぎ手が備えられ、
雌雄継ぎ手の嵌合状態において雌雄両継ぎ手をジョイントするピンが、両継ぎ手の肉部にわたすように側方から差し込まれる部材同士のジョイント用継ぎ手であって、
前記雌雄の継ぎ手は、テーパー嵌合されるように周面部が傾斜しており、
前記ピンとピンを差し込む孔は、テーパー嵌合状態に差し込まれるように周面部が傾斜しており、ピンを差込み孔に差し込むことでこれら継ぎ手が深く嵌合されるようになされていることを特徴とする部材同士のジョイント用継ぎ手。
【発明の詳細な説明】
【技術分野】
【０００１】
本発明は、上下杭のジョイント用継ぎ手及び部材同士のジョイント用継ぎ手に関する。
【背景技術】
【０００２】
例えば、鋼管杭の回転圧入工法において、上下の杭をジョイントする方法として、溶接やネジ式継ぎ手を用いる方法が提案されているが、いずれもジョイントするのに手間を要し、作業が厄介であるという問題がある。
【０００３】
そこで、発明者は、外周異形部を備えた雄継ぎ手と、内周異形部を備えた雌継ぎ手とを用い、これらを上杭の下端部と下杭の上端部とに取り付けておき、雌雄継ぎ手の異形部同士を嵌合して共回りするようにし、更に、異形部同士の嵌合状態において雌雄両継ぎ手の肉部にわたすように側方からピンを差し込んで両継ぎ手が離反方向に分離しないようにジョイントするようにした嵌合式の継ぎ手の採用を考えている。
【発明の開示】
【発明が解決しようとする課題】
【０００４】
しかしながら、上記のような嵌合式継ぎ手で問題となるのが、ジョイント部に引っ張りや曲げなどがかかった場合の上下杭の一体性をいかに確保するかという点である。
【０００５】
本発明は、上記のような問題点に鑑み、雌雄嵌合式でありながら、嵌合した継ぎ手部が引っ張りや曲げなどに対してしっかりとした一体性を保持することのできる構造の継ぎ手を提供することを課題とする。
【課題を解決するための手段】
【０００６】
上記の課題は、上杭の下端部と下杭の上端部に取り付けられる雌雄の嵌合式継ぎ手が備えられ、
雄継ぎ手は外周異形部を備え、雌継ぎ手は内周異形部を備え、これら異形部同士を嵌合することで両継ぎ手が共回りするようになされており、
該異形部同士の嵌合状態において雌雄両継ぎ手をジョイントするピンが、両継ぎ手の肉部にわたすように側方から差し込まれる上下杭のジョイント用継ぎ手であって、
前記雌雄の継ぎ手は、テーパー嵌合されるように周面部が傾斜しており、
雌雄の両継ぎ手には、これら継ぎ手をテーパー嵌合させた状態から更に深く嵌合させるための対の寄せ込み孔が側方に開口するように嵌合方向に一組又は複数組備えられ、
前記ピンは、寄せ込み孔を利用して両継ぎ手を寄せ込んだ状態でピン差込み孔に差込み可能であることを特徴とする上下杭のジョイント用継ぎ手によって解決される。
【０００７】
この継ぎ手では、雌雄の継ぎ手がテーパー嵌合されるようになされていると共に、雌雄の両継ぎ手には、対の寄せ込み孔が嵌合方向に一組又は複数組備えられているので、寄せ込み孔を利用して雌雄の継ぎ手を嵌合方向にしっかりと寄せ込んだうえで、ピンの差込みを行うことができ、嵌合した継ぎ手部が引っ張りや曲げなどに対してしっかりとした一体性を保持することができる。
【０００８】
この継ぎ手において、ピンとピンを差し込む孔は、テーパー嵌合状態に差し込まれるように周面部が傾斜しており、ピンを差込み孔に差し込むことでこれら継ぎ手が更に深く嵌合されるようになされているとなおよい。
【０００９】
この場合は、ピンの差し込みによって雌雄の継ぎ手をより一層深く嵌合させることができ、嵌合した継ぎ手部が引っ張りや曲げなどに対してしっかりとした一体性を保持することができる。
【００１０】
また、ピンとその差込み孔とがテーパー嵌合されるようになされてピンの差込みでより深く嵌合されるようになされた構造において、ピンを差し込んで雌雄の継ぎ手をジョイントした状態で、雌雄の継ぎ手の対の寄せ込み孔が互いに少なくとも一部連通しているのもよい。
【００１１】
この場合は、ジョイントした雌雄の継ぎ手の分離も容易に行うことができる。即ち、ピンでジョイントされた雌雄の継ぎ手は、ピンの打込みによってより深く嵌合されているので、ピンを抜出しただけでは、分離するのが困難である。ところが、ピンでジョイントした状態において雌雄の継ぎ手の対の寄せ込み孔は互いに少なくとも一部連通しているので、寄せ込み孔を利用して雌雄の継ぎ手を分離方向に変位させていくことができる。これにより、深く寄せ込まれた雌雄の継ぎ手を容易に分離することができる。なお、雌雄の継ぎ手の分離は、永年使用後の杭の抜取り解体作業などにおいて必要となる場合がある。
【００１２】
また、上記の課題は、上杭の下端部と下杭の上端部に取り付けられる雌雄の嵌合式継ぎ手が備えられ、
雄継ぎ手は外周異形部を備え、雌継ぎ手は内周異形部を備え、これら異形部同士を嵌合することで両継ぎ手が共回りするようになされており、
該異形部同士の嵌合状態において雌雄両継ぎ手をジョイントするピンが、両継ぎ手の肉部にわたすように側方から差し込まれる上下杭のジョイント用継ぎ手であって、
前記雌雄の継ぎ手は、テーパー嵌合されるように周面部が傾斜しており、
前記ピンとピンを差し込む孔は、テーパー嵌合状態に差し込まれるように周面部が傾斜しており、ピンを差込み孔に差し込むことでこれら継ぎ手が深く嵌合されるようになされていることを特徴とする上下杭のジョイント用継ぎ手によっても解決される。
【００１３】
この継ぎ手では、ピンの差込みによって雌雄の継ぎ手を深く嵌合させることができ、嵌合した継ぎ手部が引っ張りや曲げなどに対してしっかりとした一体性を保持することができる。
【００１４】
また、上記の課題は、一方の部材ともう一方の部材に取り付けられる雌雄の嵌合式継ぎ手が備えられ、
雌雄継ぎ手の嵌合状態において雌雄両継ぎ手をジョイントするピンが、両継ぎ手の肉部にわたすように側方から差し込まれる部材同士のジョイント用継ぎ手であって、
前記雌雄の継ぎ手は、テーパー嵌合されるように周面部が傾斜しており、
雌雄の両継ぎ手には、これら継ぎ手をテーパー嵌合させた状態から更に深く嵌合させるための対の寄せ込み孔が側方に開口するように嵌合方向に一組又は複数組備えられ、
前記ピンは、寄せ込み孔を利用して両継ぎ手を寄せ込んだ状態でピン差込み孔に差込み可能であることを特徴とする部材同士のジョイント用継ぎ手によっても解決される。
【００１５】
また、一方の部材ともう一方の部材に取り付けられる雌雄の嵌合式継ぎ手が備えられ、
雌雄継ぎ手の嵌合状態において雌雄両継ぎ手をジョイントするピンが、両継ぎ手の肉部にわたすように側方から差し込まれる部材同士のジョイント用継ぎ手であって、
前記雌雄の継ぎ手は、テーパー嵌合されるように周面部が傾斜しており、
前記ピンとピンを差し込む孔は、テーパー嵌合状態に差し込まれるように周面部が傾斜しており、ピンを差込み孔に差し込むことでこれら継ぎ手が深く嵌合されるようになされていることを特徴とする部材同士のジョイント用継ぎ手によって解決される。
【００１６】
即ち、これら継ぎ手は、上下杭のジョイントに限らず、部材同士のジョイントに広く用いて、嵌合した継ぎ手部が引っ張りや曲げなどに対してしっかりとした一体性を保持することができる。
【発明の効果】
【００１７】
本発明は、以上のとおりのものであるから、雌雄嵌合式でありながら、嵌合した継ぎ手部が引っ張りや曲げなどに対してしっかりとした一体性を保持することができる。
【発明を実施するための最良の形態】
【００１８】
次に、本発明の実施最良形態を図面に基づいて説明する。
【００１９】
図１〜図３に示す実施形態の継ぎ手は、回転圧入工法等による打込みに用いられる上下の杭をジョイントするのに用いられるもので、１は鋳鋼品などからなる雌継ぎ手、２は同じく鋳鋼品などからなる雄継ぎ手、３はジョイント用のピンであり、図４〜図７に示すように、雌継ぎ手１は、その基端部が鋼管などからなる下杭４の上端部に溶接などで予め取り付けられ、雄継ぎ手２は、その基端部が鋼管などからなる上杭５の下端部に溶接などで予め取り付けられて用いられる。
【００２０】
雄継ぎ手２は、基端側半部２ａが外周円形で、先端側半部２ｂが外周太鼓状の異形に形成されており、また、雌継ぎ手１は、先端側半部１ａが内周円形で、基端側半部１ｂが内周太鼓状の異形に形成されており、雄継ぎ手２の外周円形の基端側半部２ａと雌継ぎ手１の内周円形の先端側半部１ａ、及び、雄継ぎ手２の外周太鼓状の先端側半部２ｂと雌継ぎ手１の内周太鼓状の基端側半部１ｂとを、しっくりと嵌合させることができるようになされている。
【００２１】
この嵌合状態において、両継ぎ手１，２は、雄継ぎ手２の外周太鼓状の先端側半部２ｂと雌継ぎ手１の内周太鼓状の基端側半部１ｂとの回転方向における係合により、共回りするをすることができるようになされている。
【００２２】
また、雄継ぎ手２において基端側半部２ａと先端側半部２ｂとの間に備えられた段２ｃと、雌継ぎ手１において基端側半部１ｂと先端側半部１ａとの間に備えられた段１ｃとが、嵌合状態において互いに当接することにより、圧縮力に耐えることができるようになされている。
【００２３】
更に、図３に示すように、雌雄の継ぎ手１，２を嵌合させた状態で側方からジョイント用のピン３を通す差込み孔６，６が、雌雄継ぎ手１，２の太鼓状嵌合部の直線部分の境界部に沿うようにして両継ぎ手１，２の肉にわたるように貫通状態に備えられ、ピン３，３が該差込み孔６，６に差し込まれることで、雌雄両継ぎ手１，２が抜止め状態にジョイントされるようになされている。
【００２４】
そして、雌雄の継ぎ手１，２は、それらの基端側半部１ｂ，２ａと先端側半部１ａ，２ｂの各周面部が傾斜していて、テーパー嵌合されるようになされている。また、雌雄の継ぎ手１，２には、これら継ぎ手１，２をテーパー嵌合させた状態から更に深く嵌合させるための対の寄せ込み孔７ａ，７ｂが側方に開口するように嵌合方向において一組備えられ、ピン３，３は、寄せ込み孔７ａ，７ｂを利用して両継ぎ手１，２を寄せ込んだ状態にすることで差込み孔６，６に差し込めるようになされている。即ち、雌雄の継ぎ手１，２を単に嵌合させた状態では、差込み孔６を構成する雄継ぎ手２側の溝６ｂと雌継ぎ手１側の溝６ａとのずれが大きく、ピン３を差し込めない構造となっており、そのため、本実施形態では、図１に示すように、雌継ぎ手１において、ピン差込み孔６，６と寄せ込み孔７ａとは同じ高さ位置に備えられているが、雄継ぎ手２において、ピン差込み孔６，６用の溝６ｂ，６ｂと寄せ込み孔７ｂとは高さ位置が異ならされている。なお、寄せ込み孔７ｂは、その上下部分に、寄せ込み具８を呼び込む面取りがなされている。
【００２５】
更に、本実施形態では、前記ピン３，３と差込み孔６，６は、テーパー嵌合状態に差し込まれるように周面部が傾斜しており、ピン３，３を差込み孔６，６に差し込むことで、寄せ込み孔７ａ，７ｂで寄せ込まれた雌雄の継ぎ手１，２を更に寄せ込んでより深く嵌合させることができるようになされている。
【００２６】
上記の継ぎ手を用いた上下の杭４，５のジョイントは、図４（イ）（ロ）に示すように、下杭４の打込みを終えた後、上杭５を下杭４の上方に配置して下杭４の側に降ろしていき、雌雄の継ぎ手１，２をテーパー嵌合させる。この嵌合状態では、図４（ロ）に示すように、差込み孔６を構成する雄継ぎ手２側の溝６ｂと雌継ぎ手１側の溝６ａとの上下方向のずれが大きく、ピン３を差し込めない状態である。
【００２７】
そこで、寄せ込み具８を、雌雄の継ぎ手１，２の寄せ込み孔７ａ，７ｂにわたすように刺し込み、寄せ込み具８に曲げをかけ、テコの原理で雄継ぎ手２を雌継ぎ手１の側に寄せ込み、図５（ハ）に示すように、ピン３を差し込める程度に、ピン差込み孔６の溝６ａ，６ｂのずれを小さくする。
【００２８】
しかる後、図５（ハ）（ニ）に示すように、ピン差込み孔６にピン３を打ち込んで差し込み、ピン３と差込み孔６とのテーパー嵌合により、雌雄の継ぎ手１，２を更に寄せ込んだ状態にする。こうして上下の杭４，５のジョイント部に、引っ張りや曲げなどに対してしっかりとした一体性をもたせることができる。
【００２９】
この嵌合状態において、雌雄の継ぎ手１，２の寄せ込み孔７ａ，７ｂは、図５（ニ）に示すように、互いに一部連通しており、そのため、必要に応じて、両継ぎ手１，２を次のようにして分解することができる。即ち、図６（イ）に示すように、まず、ピン３を抜くが、抜いただけでは、雌雄の継ぎ手１，２は強く寄せ込まれているので、分離するのは困難である。
【００３０】
そこで、上記の寄せ込み孔７ａ，７ｂを利用し、図６（ロ）及び図７（ハ）に示すように、寄せ込み具８を寄せ込み孔７ａ，７ｂに刺し込み、寄せ込み具８に曲げをかけ、テコの原理で雌雄の継ぎ手１，２を分離方向に相対変位させる。これにより、強く寄せ込まれていた雌雄の継ぎ手１，２を、図７（ニ）に示すように、分離し、上下の杭４，５を切り離すことができる。
【００３１】
以上に、本発明の実施形態を示したが、本発明はこれに限られるものではなく、発明思想を逸脱しない範囲で各種の変更が可能である。例えば、上記の実施形態では、対の寄せ込み孔７ａ，７ｂが雌雄の継ぎ手の周囲に一つ備えられている場合を示しているが、周方向に複数備えられていてもよい。
【００３２】
また、上記の実施形態では、対の寄せ込み孔７ａ，７ｂが雌雄継ぎ手の嵌合方向において一組備えられている場合を示しているが、嵌合方向に複数組備えさせ、段階的に、より深く嵌合させることができるようになされていてもよい。
【００３３】
また、上記の実施形態では、ピン３を差し込んで雌雄の継ぎ手１，２をジョイントした状態で、雌雄の継ぎ手１，２の対の寄せ込み孔７ａ，７ｂが互いに少なくとも一部連通するようになされた構造を示しているが、雌雄の継ぎ手１，２を分離することが考えられないような場合や、他の分離手段を備えさせるような場合は、ジョイント状態において、対の寄せ込み孔７ａ，７ｂが互いに連通しない構造となっていてもよい。
【００３４】
また、上記の実施形態では、ピン３と差込み孔６をテーパー嵌合するようにして、ピン３の差込みで雌雄の継ぎ手１，２が更に寄せ込まれるようになされているが、ピン３と差込み孔６とのテーパー嵌合を省略し、ピン３の差込みで雌雄の継ぎ手１，２が寄せ込まれない構造にしてもよい。
【００３５】
また、上記の実施形態では、雌雄の継ぎ手１，２に対の寄せ込み孔７ａ，７ｂを設けて寄せ込み具８で寄せ込めるようになっているが、寄せ込み孔７ａ，７ｂを省略し、ピン３と差込み孔６のテーパー嵌合のみで雌雄の継ぎ手１，２が寄せ込まれ構造にしてもよい。
【００３６】
更に、本発明の継ぎ手は、回転圧入工法に用いられる上下の杭のジョイントに限らず、他の打込み工法における上下の杭のジョイントに用いることもできるし、杭同士する場合に限らず、部材同士のジョイントに広く用いることができ、その場合には、異形部同士の嵌合による共回り機構は備えられていてもよいし、備えられていなくてもよい。
【図面の簡単な説明】
【００３７】
【図１】実施形態の継ぎ手を雌雄分離状態にして示す正面図である。
【図２】図（イ）は同側面図、図（ロ）は同正面図、図（ハ）は図（ロ）のＩ−Ｉ線断面図である。
【図３】図（イ）は雌雄継ぎ手の嵌合状態における断面平面図、図（ロ）は嵌合状態の継ぎ手にピンを差し込んでジョイントした状態の断面平面図である。
【図４】図（イ）及び図（ロ）は、図５（ハ）（ニ）と共に、雌雄継ぎ手のジョイント方法を順次に示す断面側面図である。
【図５】図（ハ）及び図（ニ）は、図４（イ）（ロ）と共に、雌雄継ぎ手のジョイント方法を順次に示す断面側面図である。
【図６】図（イ）及び図（ロ）は、図７（ハ）（ニ）と共に、雌雄継ぎ手の分離方法を順次に示す断面側面図である。
【図７】図（ハ）及び図（ニ）は、図６（イ）（ロ）と共に、雌雄継ぎ手の分離方法を順次に示す断面側面図である。
【符号の説明】
【００３８】
１…雌継ぎ手
１ｂ…内周異形部
２…雄継ぎ手
２ｂ…外周異形部
３…ピン
４，５…杭
６…差込み孔
７ａ，７ｂ…寄せ込み孔
【図１】
2005282187.tif 000003
【図２】
2005282187.tif 000004
【図３】
2005282187.tif 000005
【図４】
2005282187.tif 000006
【図５】
2005282187.tif 000007
【図６】
2005282187.tif 000008
【図７】
2005282187.tif 000009